(57)【特許請求の範囲】
【請求項１】
水平面と平行に配置される下板部を有する野縁受けと一対の対向する側板部を有する野縁とを連結する連結部材であって、
前記野縁受けの延在方向において前記野縁を跨ぐように前記野縁に被せられて前記側板部に固定される野縁固定部と、
下方から前記下板部に締結される野縁受け固定部と、を備える、
連結部材。
【請求項２】
前記野縁固定部は、前記野縁の前記一対の側板部に夫々固定される一対の対向する固定側板部と、前記一対の固定側板部の上端部に接続される接続板部と、を有し、
前記野縁受け固定部は、前記一対の固定側板部の対向方向において、前記固定側板部の上端部から前記接続板部の反対側に延びている、
請求項１に記載の連結部材。
【請求項３】
前記固定側板部は、前記野縁の延在方向と平行な屈曲線に沿って屈曲されている、
請求項２に記載の連結部材。
【請求項４】
前記野縁は、前記一対の側板部の夫々の上端部に形成された一対のリップ部を有しており、
前記一対の側板部の間に挿入されて前記一対のリップ部に係止される野縁係止部を更に備える、
請求項１〜３の何れか一項に記載の連結部材。
【請求項５】
請求項１〜４の何れか一項に記載の連結部材を用いて、水平面と平行に配置される下板部を有する野縁受けと一対の対向する側板部を有して天井材が取り付けられる野縁とを連結する下地工程を備え、
前記下地工程では、前記連結部材の野縁固定部を、前記野縁受けの延在方向において前記野縁に被せて前記一対の側板部に固定し、前記連結部材の野縁受け固定部を、下方から前記下板部に固定する、
天井下地材施工方法。
【発明の詳細な説明】
【技術分野】
【０００１】
この発明は、野縁受けと野縁とを連結する連結部材及び天井下地材施工方法に関する。
【背景技術】
【０００２】
一般に、天井材を施工するための天井下地材は、支持構造物又は建物躯体に吊り下げられた野縁受けと、天井材が取り付けられる野縁と、野縁受けと野縁とを直交方向に連結する連結部材と、により構成されている。
【０００３】
特許文献１には、野縁受けと野縁とを連結する連結部材として、野縁取付具（７）及び補強取付具（８）が記載されている。野縁取付具（７）は、二つの部材で構成されており、夫々、野縁のリップ部に係止させた状態で野縁受けを挟み込むことで、野縁受けと野縁とを連結する。補強取付具（８）は、野縁の一対の側板部と野縁受けの基板部とにビス止めすることで、野縁受けと野縁とを連結する。
【先行技術文献】
【特許文献】
【０００４】
【特許文献１】特開２０１３−０５７２１６号公報
【発明の概要】
【発明が解決しようとする課題】
【０００５】
しかしながら、野縁取付具（７）では、野縁受け及び野縁に対して直接的に固定しないため、野縁受けと野縁との連結強度が低いという問題がる。また、補強取付具（８）では、ビス止めする基板部は野縁受けの背側に位置するため、野縁受けに対する補強取付具（８）の取り付け方向が限定される。その結果、作業性が悪くなるという問題が発生する。しかも、支持構造部であるＨ鋼に野縁を連結したくても、Ｈ鋼には野縁受けのような背側の基板部が無いため、そもそも補強取付具（８）を取り付けることができない。
【０００６】
また、補強取付具（８）は野縁受け及び野縁取付具（７）を挟み込む構造であるため、野縁受けのサイズに応じて異なる大きさの補強取付具（８）を用意する必要がある。その結果、作業性が悪くなり、更には、コストが高くなるという問題も発生する。
【０００７】
そこで、本発明は、野縁受けと野縁との連結強度を向上しつつ、野縁受けと野縁とを連結する際の作業性が低下するのを抑制できる連結部材を提供することを目的とする。
【課題を解決するための手段】
【０００８】
本発明に係る連結部材は、水平面と平行に配置される下板部を有する野縁受けと一対の対向する側板部を有する野縁とを連結する連結部材であって、野縁受けの延在方向において野縁を跨ぐように野縁に被せられて側板部に固定される野縁固定部と、下方から下板部に固定される野縁受け固定部と、を備える。
【０００９】
本発明に係る連結部材では、野縁固定部が野縁の側板部に固定され、野縁受け固定部が野縁受けの下板部に固定されるため、従来のクリップのように野縁に係止して野縁受けを挟み込む場合に比べて、野縁受けと野縁との連結強度を高めることができる。そして、野縁固定部は、野縁受けの延在方向において野縁を跨ぐように野縁に被せられて側板部に固定されるため、野縁受けの延在方向における野縁受けと連結部材との連結強度を更に高めることができる。また、野縁受け固定部は、下方から下板部に固定されるため、野縁受け固定部を野縁受けに対して任意の方向に固定することができる。しかも、少なくとも下板部を有する野縁受けであれば如何なる形状の野縁受けにも野縁受け固定部を固定することができる。このため、野縁受けと野縁とを連結する際の作業性が低下するのを抑制できる。なお、野縁受け及び野縁に対する固定をビス止めにより行うことで、野縁受けと野縁とを繋結することができる。
【００１０】
また、野縁固定部は、野縁の一対の側板部に夫々固定される一対の対向する固定側板部と、一対の固定側板部の上端部に接続される接続板部と、を有し、野縁受け固定部は、一対の固定側板部の対向方向において、固定側板部の上端部から接続板部の反対側に延びていてもよい。この連結部材では、野縁固定部を野縁に被せることで、接続板部により接続された一対の固定側板部が、野縁を挟み込むように一対の側板部に対向する。このため、一対の固定側板部を夫々野縁の一対の側板部に固定することで、野縁と連結部材とを容易かつ確実に連結することができる。また、野縁受け固定部を野縁受けに下方から当接させることで、野縁受け固定部と野縁受けとが対向する。このため、野縁受け固定部を野縁受けの下板部に固定しやすくなるため、野縁受けと連結部材とを容易かつ確実に連結することができる。
【００１１】
また、固定側板部は、野縁の延在方向と平行な屈曲線に沿って屈曲されていてもよい。この連結部材では、固定側板部は、野縁の延在方向と平行な屈曲線に沿って屈曲されているため、固定側板部に野縁を水平方向に屈曲させる方向の荷重が入力されても、固定側板部が変形するのを抑制することができる。
【００１２】
また、野縁は、一対の側板部の夫々の上端部に形成された一対のリップ部を有しており、一対の側板部の間に挿入されて一対のリップ部に係止される野縁係止部を更に備えてもよい。この連結部材では、野縁係止部を野縁の一対の側板部の間に挿入して一対のリップ部に係止することで、野縁と連結部材とを仮止めすることができる。しかも、野縁係止部を野縁の一対の側板部の間に挿入する方向と野縁固定部を野縁に被せる方向とは同じ方向であるため、野縁固定部を野縁に被せることで、野縁係止部を一対のリップ部に係止することができる。このため、野縁に連結部材を固定するために別工程として野縁と連結部材とを仮止めする必要が無くなり、また、野縁と連結部材とを仮止めするために別部材を用意する必要が無くなる。これにより、野縁と連結部材とを固定する際の作業性が向上する。
【００１３】
本発明に係る天井下地材施工方法は、上記の何れかの連結部材を用いて、水平面と平行に配置される下板部を有する野縁受けと一対の対向する側板部を有して天井材が取り付けられる野縁とを連結する下地工程を備え、下地工程では、連結部材の野縁固定部を、野縁受けの延在方向において野縁に被せて一対の側板部に固定し、連結部材の野縁受け固定部を、下方から下板部に固定する。
【００１４】
本発明に係る天井下地材施工方法では、野縁固定部を野縁に固定し、野縁受け固定部を野縁受けに固定することで、従来のクリップのように野縁に係止して野縁受けを挟み込む場合に比べて、野縁受けと野縁との連結強度を高めることができる。そして、野縁固定部を、野縁受けの延在方向において野縁を跨ぐように野縁に被せて一対の側板部に固定するため、野縁受けの延在方向における野縁受けと連結部材との連結強度を高めることができる。また、野縁受け固定部を、下方から下板部に固定するため、野縁受け固定部を野縁受けに対して任意の方向に固定することができる。しかも、少なくとも下板部を有する野縁受けで有れば如何なる形状の野縁受けにも野縁受け固定部を固定することができる。このため、野縁受けと野縁とを連結する際の作業性が低下するのを抑制できる。
【発明の効果】
【００１５】
本発明によれば、野縁受けと野縁との連結強度を向上しつつ、野縁受けと野縁とを連結する際の作業性が低下するのを抑制できる。
【図面の簡単な説明】
【００１６】
【図１】第１の実施形態における天井下地部材の斜視図である。
【図２】連結部材の斜視図である。
【図３】連結部材を示す図であり、（ａ）は平面図、（ｂ）は正面図、（ｃ）は側面図である。
【図４】天井下地材の施工方法を説明するための図である。
【図５】天井下地材の施工方法を説明するための図である。
【図６】野縁受けと野縁の連結箇所を示す図であり、（ａ）は平面図、（ｂ）は正面図、（ｃ）は側面図である。
【図７】第２の実施形態における天井下地部材の斜視図である。
【図８】天井下地材の施工方法を説明するための図である。
【図９】天井下地材の施工方法を説明するための図である。
【図１０】野縁受けと野縁の連結箇所を示す図であり、（ａ）は平面図、（ｂ）は正面図、（ｃ）は側面図である。
【図１１】連結部材の変形例を示す図である。
【図１２】野縁受けの変形例を示す図である。
【発明を実施するための形態】
【００１７】
以下、図面を参照して、本発明に係る連結部材及び天井下地材施工方法について詳細に説明する。下記の説明において、上下の方向は、連結部材により野縁受けと野縁とが連結された状態における上下の方向をいう。また、連結部材により野縁受けと野縁とが連結された状態における、野縁受けの延在方向をＸ方向、野縁の延在方向をＹ方向、上下方向をＺ方向という。なお、全図中、同一または相当部分には同一符号を付し、重複する説明を省略する。
【００１８】
［第１の実施形態］
第１の実施形態では、支持構造物又は建物躯体に吊り下げられた吊ボルト（不図示）により吊り下げられる天井下地材である。図１に示すように、第１の実施形態に係る天井下地材１は、建物躯体等に吊り下げられた吊ボルト（不図示）により、ハンガ（不図示）を介して保持される野縁受け２と、野縁受け２の下方に配置されて天井材が取り付けられる野縁３と、野縁受け２と野縁３とを直交させて連結するクリップ４と、野縁受け２と野縁３とを直交させて連結する連結部材５と、を主構成要素としている。
【００１９】
野縁受け２は、ステンレスや亜鉛めっき鋼板等の金属材で長尺に形成されて、水平方向に延在するように配置される。なお、上述したように、連結部材５により野縁受け２と野縁３とが連結された状態における野縁受け２の延在方向が、Ｘ方向となる。野縁受け２としては、建物躯体に吊り下げられた野縁受けが用いられる。野縁受け２は、側方に開放された断面コ字状に形成されており、鉛直面と平行に配置される矩形平板状の側板部２１と、側板部２１の上端縁及び下端縁から水平方向に略直角に屈曲して水平面と平行に配置される矩形平板状の上板部２２及び下板部２３と、を備えている。上板部２２と下板部２３とは、Ｚ方向において対向する。なお、野縁受け２は、側方に開放されている側が腹側となり、この腹側の反対側であって側板部２１が配置される側が背側となる。
【００２０】
野縁３は、ステンレスや亜鉛めっき鋼板等の金属材で長尺に形成されて、野縁受け２と直交する方向に延在している。なお、上述したように、連結部材５により野縁受け２と野縁３とが連結された状態における野縁３の延在方向が、Ｙ方向となる。野縁３は、上方に開放された断面略Ｃ字状に形成されており、水平面と平行に配置された矩形平板状の底板部３１と、底板部３１の両端縁から上方に略直角に屈曲して鉛直面と平行に配置された矩形平板状の一対の側板部３２ａ，３２ｂと、側板部３２ａ，３２ｂの上端縁から夫々水平方向内側に略直角に屈曲して底板部３１側に湾曲した一対のリップ部３３ａ，３３ｂと、を備えている。側板部３２ａ，３２ｂとは、Ｘ方向において対向する。
【００２１】
リップ部３３ａ，３３ｂは、クリップ４及び連結部材５が係止される被係止部として機能する。被係止部としての機能については後述する。リップ部３３ａ，３３ｂは互いに離れており、リップ部３３ａ，３３ｂの間に開口３４が形成されている。リップ部３３ａ，３３ｂは、側板部３２ａ，３２ｂから開口３４側に湾曲されており、その先端が下方（底板部３１側に向けて）に向けられている。なお、リップ部３３ａ，３３ｂは、必ずしも湾曲している必要は無く、被係止部として機能すれば如何なる形状であってもよい。
【００２２】
このように構成される野縁３は、天井材の端部や間仕切り箇所に配置される幅広の野縁３（ダブル野縁）と、この幅広の野縁３の間に１又は複数本配置される幅狭の野縁３（シングル野縁）と、の２種類がある。なお、幅広の野縁３（ダブル野縁）と幅狭の野縁３（シングル野縁）とは、底板部３１の幅が異なる他は基本的に同一形状であるため、特に指定する場合を除き、これらを合わせて単に野縁３として説明する。
【００２３】
図１及び図４に示すように、クリップ４は、野縁受け２と野縁受け２の下方に配置される野縁３とを直交するように連結する部材である。クリップ４は、第一クリップ部４１と、第二クリップ部４２と、を備えている。第一クリップ部４１は、野縁３の開口３４に挿入されてリップ部３３ａ，３３ｂに係止される係止部４３と、Ｙ方向において第二クリップ部４２との間で野縁受け２を挟み込む胴部４４と、ボルトＢにより第二クリップ部４２と結合される結合部４５と、を備えている。第二クリップ部４２は、野縁３の開口３４に挿入されてリップ部３３ａ，３３ｂに係止される係止部４６と、第一クリップ部４１との間で野縁受け２を挟み込む胴部４７と、ボルトＢにより第一クリップ部４１と結合される結合部４８と、を備えている。そして、クリップ４は、第一クリップ部４１の係止部４３及び第二クリップ部４２の係止部４６をリップ部３３ａ，３３ｂに係止させ、第一クリップ部４１の胴部４４と第二クリップ部４２の胴部４７とで野縁受け２を挟み込み、第一クリップ部４１の結合部４５と第二クリップ部４２の結合部４８とをボルトＢで結合することで、野縁受け２と野縁３とを直交方向に連結することが可能となっている。
【００２４】
なお、クリップ４は、幅広の野縁３（ダブル野縁）に対応した幅広のクリップ４（ダブルクリップ）と、幅狭の野縁３（シングル野縁）に対応した幅狭のクリップ４（シングルクリップ）と、の２種類がある。なお、幅広のクリップ４（ダブルクリップ）と幅狭のクリップ４（シングルクリップ）とは、幅が異なる他は基本的に同一形状であるため、特に指定する場合を除き、これらを合わせて単にクリップ４として説明する。
【００２５】
図１〜図３に示すように、連結部材５は、野縁受け２と野縁受け２の下方に配置される野縁３とを直交するように連結する部材である。なお、野縁受け２と野縁３との連結は、クリップ４のみで行ってもよく、クリップ４及び連結部材５の双方で行ってもよく、連結部材５のみで行ってもよい。以下では、クリップ４及び連結部材５の双方で野縁受け２と野縁３とを連結する場合について説明する。
【００２６】
連結部材５は、ステンレスや亜鉛めっき鋼板等の金属材で形成されており、野縁固定部５１と、野縁受け固定部５２と、野縁係止部５３と、を備えている。
【００２７】
野縁固定部５１は、Ｘ方向において野縁３を跨ぐように野縁３に被せられることで、野縁３の側板部３２ａ，３２ｂのうち少なくとも一方に固定される部位である。なお、本実施形態では、野縁固定部５１は、側板部３２ａ，３２ｂの双方に固定されるものとして説明する。
【００２８】
野縁固定部５１は、下方に開放された断面コ字状に形成されており、一対の対向する固定側板部５４ａ，５４ｂと、固定側板部５４ａ，５４ｂの上端部に接続される接続板部５５と、を備えている。固定側板部５４ａ，５４ｂとは、Ｘ方向において対向し、Ｘ方向が、固定側板部５４ａ，５４ｂの対向方向となる。
【００２９】
固定側板部５４ａは、野縁３の一方の側板部３２ａに固定される部位である。固定側板部５４ｂは、野縁３の他方の側板部３２ｂに固定される部位である。側板部３２ａ，３２ｂに対する固定側板部５４ａ，５４ｂの固定は、様々な手法により行うことができるが、本実施形態では、ビス止めにより行うものとして説明する。
【００３０】
固定側板部５４ａ，５４ｂは、夫々Ｙ方向に長い矩形平板状に形成されている。また、固定側板部５４ａ，５４ｂには、夫々ビスＳを挿入するための貫通孔Ｈ１が形成されている。貫通孔Ｈ１の形状、位置、数等は特に限定されるものではないが、本実施形態では、固定側板部５４ａ，５４ｂに、夫々野縁３の延在方向に沿った２つの貫通孔Ｈ１が形成されているものとして説明する。
【００３１】
また、固定側板部５４ａ，５４ｂは、夫々Ｙ方向と平行な屈曲線Ｌに沿って屈曲されている。具体的に説明すると、固定側板部５４ａのＺ方向における先端部（接続板部５５とは反対側の先端部）に、屈曲線Ｌに沿ってＸ方向における接続板部５５の反対側に屈曲された屈曲板部５６ａが形成されている。また、固定側板部５４ｂのＺ方向における先端部（接続板部５５とは反対側の先端部）に、屈曲線Ｌに沿ってＸ方向における接続板部５５の反対側に屈曲された屈曲板部５６ｂが形成されている。
【００３２】
接続板部５５は、固定側板部５４ａ，５４ｂを接続するとともに、野縁３に対して連結部材５が落下しないように野縁３に載置される部位である。但し、連結部材５により野縁受け２と野縁３とが連結された後は、接続板部５５が野縁３に載置されずに野縁３に対して浮いた状態になる場合もある。
【００３３】
接続板部５５は、矩形平板状に形成されており、固定側板部５４ａ，５４ｂのＹ方向における一方側端部に接続されている。なお、固定側板部５４ａ，５４ｂがαを挟み込むように野縁固定部５１を野縁３に被せることができ、かつ、固定側板部５４ａ，５４ｂを夫々側板部３２ａ，３２ｂに固定することができれば、Ｘ方向における接続板部５５の幅は如何なる寸法であってもよい。
【００３４】
野縁受け固定部５２は、下方から野縁受け２の下板部２３に固定される部位である。下板部２３に対する野縁受け固定部５２の固定は、様々な手法により行うことができるが、本実施形態では、ビス止めにより行うものとして説明する。
【００３５】
野縁受け固定部５２は、一対の固定平板部５７ａ，５７ｂを備えている。固定平板部５７ａ，５７ｂは、下板部２３に固定される部位である。固定平板部５７ａ，５７ｂは、同一平面上に配置されるように固定側板部５４ａに対して垂直な方向に屈曲されて、互いに離れる方向に延びている。つまり、固定平板部５７ａは、固定側板部５４ａの上端部からＸ方向における接続板部５５の反対側に延びている。また、固定平板部５７ｂは、固定側板部５４ｂの上端部からＸ方向における接続板部５５の反対側に延びている。
【００３６】
また、固定平板部５７ａ，５７ｂは、夫々、矩形平板状に形成されており、固定側板部５４ａ，５４ｂのＹ方向における他方側端部に接続されている。固定側板部５４ａ，５４ｂのＹ方向における他方端部とは、接続板部５５が接続される一方端部とは反対側の端部をいう。そして、固定平板部５７ａ，５７ｂは、接続板部５５よりも低い位置となるように、固定側板部５４ａ，５４ｂから屈曲されている。このため、固定側板部５４ａから固定側板部５４ｂに延びる接続板部５５の側面５５Ａの一部又は全部が、固定平板部５７ａ，５７ｂよりも上方に突出している。
【００３７】
また、固定平板部５７ａ，５７ｂには、夫々ビスＳを挿入するための貫通孔Ｈ２が形成されている。貫通孔Ｈ２の形状、位置、数等は特に限定されるものではないが、本実施形態では、固定平板部５７ａ，５７ｂに、夫々１つの貫通孔Ｈ１が形成されているものとして説明する。
【００３８】
野縁係止部５３は、野縁３の開口３４から側板部３２ａ，３２ｂの間に挿入されて、リップ部３３ａ，３３ｂに係止される部位である。野縁係止部５３は、野縁固定部５１を野縁３に被せた際に、野縁３の開口３４から側板部３２ａ，３２ｂの間に挿入される位置に形成されている。野縁係止部５３は、接続板部５５のＸ方向における中央部に接続されて、接続板部５５からＺ方向における下方に延びている。野縁係止部５３は、野縁係止部５３に接続された基部５８と、基部の先端側に接続された先端部５９と、を備えている。
【００３９】
基部５８は、野縁係止部５３を野縁３の開口３４から側板部３２ａ，３２ｂの間に挿入した際に、先端部５９がリップ部３３ａ，３３ｂよりも下方に位置する寸法となっている。先端部５９は、基部５８よりもＸ方向の幅が広くなっている。先端部５９のＸ方向における幅は、リップ部３３ａ，３３ｂの間隔（開口３４のＸ方向における幅）よりも広くなっている。このため、野縁係止部５３を野縁３の開口３４から側板部３２ａ，３２ｂの間に挿入することで、先端部５９がリップ部３３ａ，３３ｂに係止される。
【００４０】
なお、連結部材５は、幅広の野縁３（ダブル野縁）に対応した幅広の野縁固定部５１を備えた連結部材５（ダブル連結部材）と、幅狭の野縁３（シングル野縁）に対応した幅狭の野縁固定部５１を備えた連結部材５（シングル連結部材）と、の２種類がある。なお、幅広の連結部材５（ダブル連結部材）と幅狭の連結部材５（シングル連結部材）とは、野縁固定部５１の幅が異なる他は基本的に同一形状であるため、特に指定する場合を除き、これらを合わせて単に連結部材５として説明する。
【００４１】
次に、図４〜図６を参照して、連結部材５を用いた天井下地材施工方法について説明する。
【００４２】
まず、図４の（ａ）に示すように、野縁受け２を建物躯体に吊り下げ、野縁受け２の下方に野縁３を野縁受け２に対して直交するように配置する。
【００４３】
次に、図４の（ａ）及び（ｂ）に示すように、野縁受け２と野縁３とが直交する位置において、クリップ４を用いて野縁受け２と野縁３とを連結する。クリップ４を用いた野縁受け２と野縁３との連結は、次のように行うことができる。
【００４４】
まず、第一クリップ部４１の係止部４３と第二クリップ部４２の係止部４６とを夫々リップ部３３ａ，３３ｂに係止させる。次に、第一クリップ部４１の胴部４４と第二クリップ部４２の胴部４７とで野縁受け２を挟み込み、第一クリップ部４１の結合部４５と第二クリップ部４２の結合部４８とをボルトＢで結合する。これにより、野縁受け２と野縁３とが直交方向に連結される。
【００４５】
次に、図５の（ａ）及び（ｂ）に示すように、クリップ４により野縁受け２と野縁３とを連結した位置において、連結部材５を用いて野縁受け２と野縁３とを更に連結する（下地工程）。連結部材５を用いた野縁受け２と野縁３との連結は、次のように行うことができる。
【００４６】
まず、図５の（ａ）に示すように、野縁受け固定部５２が野縁受け２の下板部２３の下方に配置されるように、Ｘ方向において野縁固定部５１を野縁３に被せる。このとき、野縁係止部５３が、野縁３の開口３４から側板部３２ａ，３２ｂの間に挿入するように、野縁固定部５１を野縁３に被せる。すると、野縁係止部５３の先端部５９がリップ部３３ａ，３３ｂに係止されることで、野縁３に対して連結部材５が仮止めされる。また、野縁固定部５１を野縁３に被せて野縁３に対して連結部材５を仮止めする際に、接続板部５５の側面５５Ａをクリップ４に当接させる。これにより、Ｙ方向における連結部材５の位置が定まる。
【００４７】
次に、図５の（ｂ）及び図６に示すように、野縁固定部５１を野縁３の側板部３２ａ，３２ｂに固定する。具体的に説明すると、野縁固定部５１の固定側板部５４ａ，５４ｂに形成された貫通孔Ｈ１にビスＳを通し、このビスＳを野縁３の側板部３２ａ，３２ｂにねじ込むことで、野縁固定部５１の固定側板部５４ａ，５４ｂを夫々野縁３の側板部３２ａ，３２ｂに固定する。また、連結部材５の野縁受け固定部５２を、下方から野縁受け２の下板部２３に固定する。具体的に説明すると、野縁受け固定部５２の固定平板部５７ａ，５７ｂに形成された貫通孔Ｈ２にビスＳを通し、このビスＳを野縁受け２の下板部２３にねじ込むことで、野縁受け固定部５２の固定平板部５７ａ，５７ｂを野縁受け２の下板部２３に固定する。これにより、野縁受け２と野縁３とが直交方向に繋結される。
【００４８】
このように、本実施形態によれば、野縁固定部５１が野縁３の側板部３２ａ，３２ｂに固定され、野縁受け固定部５２が野縁受け２の下板部２３に固定されるため、従来のクリップのように野縁３に係止して野縁受け２を挟み込む場合に比べて、野縁受け２と野縁３との連結強度を高めることができる。そして、野縁固定部５１は、Ｘ方向において野縁３を跨ぐように野縁３に被せられて側板部３２ａ，３２ｂに固定されるため、Ｘ方向における野縁受け２と連結部材５との連結強度を更に高めることができる。また、野縁受け固定部５２は、下方から下板部２３に固定されるため、野縁受け固定部５２を野縁受け２に対して任意の方向に固定することができる。しかも、少なくとも下板部２３を有する野縁受け２であれば如何なる形状の野縁受け２にも野縁受け固定部５２を固定することができる。このため、野縁受け２と野縁３とを連結する際の作業性が低下するのを抑制できる。そして、野縁受け２及び野縁３に対する固定をビス止めにより行うことで、野縁受け２と野縁３とを繋結することができる。
【００４９】
また、この連結部材５では、野縁固定部５１を野縁３に被せることで、接続板部５５により接続された固定側板部５４ａ，５４ｂが、野縁３を挟み込むように側板部３２ａ，３２ｂに対向する。このため、固定側板部５４ａ，５４ｂを夫々野縁３の側板部３２ａ，３２ｂに固定することで、野縁３と連結部材５とを容易かつ確実に連結することができる。また、野縁受け固定部５２を野縁受け２に下方から当接させることで、野縁受け固定部５２と野縁受け２とが対向する。このため、野縁受け固定部５２を野縁受け２の下板部２３に固定しやすくなるため、野縁受け２と連結部材５とを容易かつ確実に連結することができる。
【００５０】
また、この連結部材５では、固定側板部５４ａ，５４ｂは、Ｙ方向と平行な屈曲線Ｌに沿って屈曲されているため、固定側板部５４ａ，５４ｂに野縁３を水平方向に屈曲させる方向の荷重が入力されても、固定側板部５４ａ，５４ｂが変形するのを抑制することができる。
【００５１】
また、この連結部材５では、野縁係止部５３を野縁３の側板部３２ａ，３２ｂの間に挿入してリップ部３３ａ，３３ｂに係止することで、野縁３と連結部材５とを仮止めすることができる。しかも、野縁係止部５３を野縁３の側板部３２ａ，３２ｂの間に挿入する方向と野縁固定部５１を野縁３に被せる方向とは同じ方向であるため、野縁固定部５１を野縁３に被せることで、野縁係止部５３をリップ部３３ａ，３３ｂに係止することができる。このため、野縁３に連結部材５を固定するために別工程として野縁３と連結部材５とを仮止めする必要が無くなり、また、野縁３と連結部材５とを仮止めするために別部材を用意する必要が無くなる。これにより、野縁３と連結部材５とを固定する際の作業性が向上する。
【００５２】
［第２の実施形態］
次に、第２の実施形態について説明する。第２の実施形態は、基本的に第１の実施形態と同様であり、野縁受けが、支持構造物又は建物躯体に吊り下げられた吊り下げ部材ではなく、支持構造物自体である点のみ、第１の実施形態と相違する。このため、以下の説明では、第１の実施形態と相違する事項のみを説明し、第１の実施形態と同様の事項の説明を省略する。
【００５３】
図８に示すように、第２の実施形態の野縁受け７としては、支持構造部であるぶどう棚等の溝形鋼が用いられる。野縁受け７は、側方に開放された断面Ｃ字状に形成されており、鉛直面と平行に配置される矩形平板状の側板部７１と、側板部７１の上端縁及び下端縁から水平方向に略直角に屈曲して水平面と平行に配置される矩形平板状の上板部７２及び下板部７３と、上板部７２の先端縁及び下板部７３の先端縁から夫々上下方向内側に略直角に屈曲して鉛直面と平行に配置される矩形平板状のリップ部７４及びリップ部７５と、を備えている。上板部７２と下板部７３とは、Ｚ方向において対向し、側板部７１とリップ部７４及びリップ部７５とは、Ｙ方向において対向する。なお、野縁受け７は、側方に開放されている側が腹側となり、この腹側の反対側であって側板部７１が配置される側が背側となる。
【００５４】
次に、図８〜図１０を参照して、連結部材５を用いた天井下地材施工方法について説明する。
【００５５】
まず、図８の（ａ）及び（ｂ）に示すように、連結部材５の野縁受け固定部５２を、下方から野縁受け７の下板部７３に固定する（下地工程）。具体的に説明すると、まず、下方から野縁受け固定部５２の固定平板部５７ａ，５７ｂを野縁受け７の下板部７３に当接させ、接続板部５５の側面５５Ａを野縁受け７の側板部７１に当接させる。これにより、Ｚ方向及びＹ方向における連結部材５の位置及び水平方向における連結部材５の向きが定まる。そして、野縁受け固定部５２の固定平板部５７ａ，５７ｂに形成された貫通孔Ｈ２にビスＳを通し、このビスＳを野縁受け７の下板部７３にねじ込むことで、野縁受け固定部５２の固定平板部５７ａ，５７ｂを野縁受け７の下板部７３に固定する。これにより、野縁受け７に連結部材５が繋結される。
【００５６】
次に、図９の（ａ）及び（ｂ）に示すように、連結部材５の野縁固定部５１を、Ｘ方向において野縁３に被せて側板部３２ａ，３２ｂに固定する。具体的に説明すると、まず、野縁受け７の下方に野縁３を野縁受け７に対して直交するように配置する。そして、野縁３を持ち上げて、Ｘ方向において野縁３に野縁固定部５１を被せるとともに、野縁係止部５３を野縁３の開口３４から側板部３２ａ，３２ｂの間に挿入する。これにより、野縁係止部５３の先端部５９がリップ部３３ａ，３３ｂに係止されることで、野縁３に対して連結部材５が仮止めされる。
【００５７】
次に、図９の（ｂ）及び図１０に示すように、野縁固定部５１に野縁３の側板部３２ａ，３２ｂに固定する。具体的に説明すると、野縁固定部５１の固定側板部５４ａ，５４ｂに形成された貫通孔Ｈ１にビスＳを通し、このビスＳを野縁３の側板部３２ａ，３２ｂにねじ込むことで、野縁固定部５１の固定側板部５４ａ，５４ｂを夫々野縁３の側板部３２ａ，３２ｂに固定する。これにより、野縁受け７と野縁３とが直交方向に繋結される。
【００５８】
このように、本実施形態によれば、少なくとも下板部２３を有していれば如何なる形状の野縁受け７にも野縁受け固定部５２を固定することができる。このため、第１の実施形態の作用効果に加え、支持構造部である野縁受け７と野縁３とを直交方向に連結することができる。
【００５９】
本発明は上記した本実施形態に限定されることなく種々の変形が可能である。
【００６０】
例えば、図１１の（ａ）に示すように、野縁係止部を備えない連結部材５Ａとしてもよい。また、図１１の（ｂ）に示すように、固定側板部５４ａ，５４ｂに屈曲部を備えない連結部材５Ｂとしてもよい。また、図１１の（ｃ）に示すように、一方の固定側板部５４ｂにのみ固定平板部５７ｂが接続され、他方の固定側板部５４ａには固定側板部が接続されていない連結部材５Ｃとしてもよい。また、図１１の（ｄ）に示すように、固定平板部５７ａ，５７ｂに、貫通孔Ｈ２をそれぞれ複数箇所に形成してもよい。これにより、野縁受けの下板部のＹ方向における幅が広い場合であっても、ビスを各貫通孔Ｈ２に通してビス止めすることで、連結部材の野縁受け固定部を野縁受けに強固に固定することができる。
【００６１】
また、連結部材により野縁に連結される野縁受けは如何なるものであってもよく、例えば、図１２の（ａ）に示すように、支持構造部である断面Ｈ型のＨ鋼としてもよく、図１２の（ｂ）に示すように、支持構造部である断面ロ型の角パイプとしてもよく、図１２の（ｃ）に示すように、支持構造部である断面Ｌ型のアングルとしてもよい。図１２の（ａ）に示す場合は、連結部材５の野縁受け固定部５２を、下方から野縁受け８Ａの下板部８３Ａに固定することで、野縁受け８Ａに野縁３を連結することができる。図１２の（ｂ）に示す場合は、連結部材５の野縁受け固定部５２を、下方から野縁受け８Ｂの下板部８３Ｂに固定することで、野縁受け８Ｂに野縁３を連結することができる。図１２の（ｃ）に示す場合は、連結部材５の野縁受け固定部５２を、下方から野縁受け８Ｃの下板部８３Ｃに固定することで、野縁受け８Ｃに野縁３を連結することができる。これらのように、連結部材により支持構造部である野縁受けに野縁を連結することで、直天井とすることができる。
【００６２】
また、野縁係止部は、野縁の内側に挿入してリップ部に係止することができれば、如何なる形状、構造等であってもよい。
【符号の説明】
【００６３】
１…天井下地材、２…野縁受け、２１…側板部、２２…上板部、２３…下板部、３…野縁、３１…底板部、３２ａ，３２ｂ…側板部、３３ａ，３３ｂ…リップ部、３４…開口、４…クリップ、４１…第一クリップ部、４２…第二クリップ部、４３…係止部、４４…胴部、４５…結合部、４６…係止部、４７…胴部、４８…結合部、５，５Ａ，５Ｂ，５Ｃ…連結部材、５１…野縁固定部、５２…野縁受け固定部、５３…野縁係止部、５４ａ，５４ｂ…固定側板部、５５…接続板部、５５Ａ…側面、５６ａ，５６ｂ…屈曲板部、５７ａ，５７ｂ…固定平板部、５８…基部、５９…先端部、７…野縁受け、７１…側板部、７２…上板部、７３…下板部、７４…リップ部、７５…リップ部、８Ａ，８Ｂ，８Ｃ…野縁受け、８３Ａ，８３Ｂ，８３Ｃ…下板部、Ｂ…ボルト、Ｈ１…貫通孔、Ｈ２…貫通孔、Ｌ…屈曲線、Ｓ…ビス。
【図１】
0006401961.tif 000002
【図２】
0006401961.tif 000003
【図３】
0006401961.tif 000004
【図４】
0006401961.tif 000005
【図５】
0006401961.tif 000006
【図６】
0006401961.tif 000007
【図７】
0006401961.tif 000008
【図８】
0006401961.tif 000009
【図９】
0006401961.tif 000010
【図１０】
0006401961.tif 000011
【図１１】
0006401961.tif 000012
【図１２】
0006401961.tif 000013